(57)【特許請求の範囲】
【請求項１】
天井または壁に取り付けられる取付ベースと、前記取付ベースに支持されるセンサ本体とを備え、
前記取付ベースに、コントロールパネルの電源に接続されるベース側電源端子が設けられ、
前記センサ本体に、人体を検知するセンサ部と、センサ本体の前記取付ベースに対する着脱を検知するタンパ検出回路と、前記ベース側電源端子に係合する本体側電源端子とが設けられ、
さらに、前記取付ベースに前記センサ本体を取付けるとき前記ベース側電源端子と本体側電源端子との係合より遅れて動作し、前記タンパ検出回路を作動させるタンパ検出素子と、
前記センサ本体に設けられ、前記ベース側電源端子と本体側電源端子の係合より遅れて前記タンパ検出回路が作動したとき、トラブル信号を出力するトラブル検知回路とを備えた防犯センサ。
【請求項２】
請求項１において、前記タンパ検出素子は、前記取付ベースに設けられて互いに短絡された１対のベース側タンパ端子と、前記センサ本体に設けられて前記ベース側タンパ端子に係合する本体側タンパ端子とを有している防犯センサ。
【請求項３】
請求項１において、前記タンパ検出素子は、前記取付ベースに設けられたドグと、前記センサ本体に設けられて前記ドグとの接触により動作するタンパスイッチとを有している防犯センサ。
【請求項４】
請求項２において、前記本体側の電源端子およびタンパ端子は、前記センサ本体の回転により前記ベース側の対応する電源端子およびタンパ端子に係合する防犯センサ。
【請求項５】
請求項３において、前記本体側の電源端子およびドグは、前記センサ本体の回転により前記ベース側の対応する電源端子およびタンパスイッチに係合する防犯センサ。
【請求項６】
請求項１から請求項５のいずれかにおいて、さらに、前記センサ部による人体検知に基づいて、前記トラブル検知回路によるトラブル信号の出力を停止させるリセット回路を備えた防犯センサ。
【請求項７】
請求項１から請求項６のいずれかにおいて、前記センサ本体は前記センサ部による人体検知信号を前記コントロールパネルへ出力するための出力端子を有し、
前記トラブル検知回路は前記出力端子に前記トラブル信号を出力するものである防犯センサ。
【発明の詳細な説明】
【０００１】
【発明の属する技術分野】
本発明は、受動型赤外線素子（以下、「ＰＩＲ素子」という）を用いた防犯センサに関する。
【０００２】
【従来の技術】
前記防犯センサを用いた侵入者検知システムは、ＰＩＲ素子が、検知エリア内の人体からの赤外線を受けて人体と周囲温度の差から侵入者を検知するように構成されている。
【０００３】
ところで、前記侵入者検知システムの動作を阻害するために、防犯センサが設置されている室内への人の出入りの多い非警戒動作中にセンサ本体を取付ベースから取り外し、センサ本体内の赤外線検出素子への赤外線入射経路に紙テープやプラスチックテープを貼り付けたり、赤外線を透過しない透明な塗料を吹き付けるなどの妨害行為（タンパ行為）を行って防犯センサが人体を検知できないようにして取付ベースに取り付け、人が出入りしなくなった警戒動作時に室内へ侵入しようとする場合がある。このようなタンパ行為を検知するため、侵入者検知システムに非警戒動作中でも動作するタンパ行為検知機能を設け、センサ本体が取付ベースから取り外されたときタンパ行為検知信号（以下、「トラブル信号」という）を出力するように構成されている。
【０００４】
【発明が解決しようとする課題】
従来の防犯センサでは、センサ本体が取り付けられる取付ベースと、別の場所に設置されるコントロールパネルの間に、防犯センサへの電源供給用の配線と、防犯センサが人体を検知したとき送出する人体検知信号伝送用の配線と、タンパ行為検出用の１対の配線とを布設する必要があり、配線数が多くなる。
このため、防犯センサの動作に直接必要でないタンパ行為検出用の配線の布設が省略され、タンパ行為検知機能が作動しない状態で使用される場合があった。
【０００５】
本発明は、前記のような問題点の解消を目的としてなされたもので、タンパ行為検出用の配線が不要な、タンパ行為検出機能を備えた防犯センサを得ることを目的とする。
【０００６】
【課題を解決するための手段】
上記目的を達成するために、本発明は、天井または壁に取り付けられる取付ベースと、前記取付ベースに支持されるセンサ本体とを備え、前記取付ベースに、コントロールパネルの電源に接続されるベース側電源端子が設けられ、前記センサ本体に、人体を検知するセンサ部と、センサ本体の前記取付ベースに対する着脱を検知するタンパ検出回路と、前記ベース側電源端子に係合する本体側電源端子とが設けられ、さらに、前記取付ベースに前記センサ本体を取付けるとき前記ベース側電源端子と本体側電源端子との係合より遅れて動作し、前記タンパ検出回路を作動させるタンパ検出素子と、前記センサ本体に設けられ、前記ベース側電源端子と本体側電源端子の係合より遅れて前記タンパ検出回路が作動したとき、トラブル信号を出力するトラブル検知回路とを備えている。
【０００７】
この構成によれば、センサ本体に電源が供給されている非警戒中において、センサ本体が取付ベースから取り外されたのち再び取り付けられると、タイミング比較回路からタンパ検出信号が出力され、アラーム出力回路からタンパ行為があったことを示すトラブル信号が出力される。また、センサ本体を取付ベースに取り付ける際に、先に電源端子が係合してセンサ本体に電力が供給されるから、この電力を用いてセンサ本体内のトラブル検知回路を作動させることができる。したがって、取付ベースとコントロールパネル間のトラブル信号伝送用の接続線が不要になる。
【０００８】
また、本発明の好ましい実施形態では、前記タンパ検出素子は、前記取付ベースに設けられて互いに短絡された１対のベース側タンパ端子と、前記センサ本体に設けられて前記ベース側タンパ端子に係合する本体側タンパ端子とを有している。
この構成によれば、取付ベースにセンサ本体を取り付けたとき、本体側タンパ端子がベース側タンパ端子によって短絡され、オン信号を出力する。
【０００９】
また、本発明の好ましい実施形態では、前記タンパ検出素子は、前記取付ベースに設けられたドグと、前記センサ本体に設けられて前記ドグとの接触により動作するタンパスイッチとを有している。
この構成によれば、取付ベースにセンサ本体を取り付けたとき、タンパスイッチがドグに係合して動作し、オン信号を出力する。
【００１０】
また、本発明の好ましい実施形態では、前記本体側の電源端子およびタンパ端子は、前記センサ本体の回転により前記ベース側の対応する電源端子およびタンパ端子に係合する。
【００１１】
また、本発明の好ましい実施形態では、前記本体側の電源端子およびドグは、前記センサ本体の回転により前記ベース側の対応する電源端子およびタンパスイッチに係合する。
【００１２】
また、本発明の好ましい実施形態では、前記センサ部による人体検知に基づいて、前記トラブル検知回路によるトラブル信号の出力を停止させるリセット回路を備えている。
この構成によれば、トラブル信号が送出されても、その後にタンパ行為が除去されたとき、人体検知信号によりトラブル信号の出力が自動的に停止される。
【００１３】
さらに、本発明の好ましい実施形態では、前記センサ本体は前記センサ部による人体検知信号を前記コントロールパネルへ出力するための出力端子を有し、前記トラブル検知回路は前記出力端子に前記トラブル信号を出力する。
この構成によれば、コントロールパネル側でタンパ行為、および人体検知を認識できる。
【００１４】
【発明の実施の形態】
図１は、本発明の一実施形態に係る防犯センサの作動時の状態を示す図である。図１において、防犯センサ１は、部屋の天井に取り付けられる取付ベース２と、この取付ベース２に着脱可能に取り付けられるセンサ本体３とで構成され、センサ本体３内に配設されているＰＩＲ素子から放射状に広がる複数の検知エリア４内に人体Ｈが入ったとき、人体Ｈから放射される赤外線を検知して人体検知信号を出力する。
【００１５】
図２は取付ベース２の斜視図、図３はセンサ本体３の内面側から見た平面図である。図２において、取付ベース２は円板状であって、円周上に４対のベース側端子が配置されており、この４対の端子は、それぞれ１対の電源端子５ｂ、タンパ端子６ｂ、アラーム端子７ｂ、および予備端子８ｂである。また、各端子５ｂ〜８ｂは、図示していないコントロールパネルとの間を結ぶ接続線の一端をねじ止めするねじ体９と、外周方向に突出する接触片１０とを備えている。
【００１６】
前記センサ本体３は、図１に示すように半球形に形成され、内部に複数の検知エリア４を有するＰＩＲ素子を備えたセンサ部と、トラブル検知回路とを有し、図３に示すように内面周縁の前記ベース側端子に対応する位置に４対の本体側端子が配置されており、この４対の端子は、それぞれ１対の電源端子５ａ、タンパ端子６ａ、アラーム端子７ａ、および予備端子８ａである。電源端子５ａはセンサ本体３内に配設されているセンサ部、トラブル検知回路、アラーム出力回路および警報器に接続され、動作電源を供給する。
【００１７】
また、各端子５ａ〜８ａは、図３の矢印Ａ方向から見た拡大側面図Ａ１，Ａ２に示すように、係止部１１と、その内部に突出する弾性接触片１２とを有し、取付ベース２の位置合せマーク１３ｂにセンサ本体３の位置合せマーク１３ａを合わせて嵌め込み、図２の矢印Ｂ方向に約１０度回転させることで各接触片１０が各係止部１１と弾性接触片１２の間に挟持されてベース側の各端子５ｂ〜８ｂと本体側の各端子５ａ〜８ａがそれぞれ接続される。図２のロックレバー１４をオンにすることでセンサ本体３の回転がロックされて、取付ベース２にセンサ本体３が取り付けられる。
【００１８】
この取り付け過程において、図２に示すように、センサ本体３が矢印Ｂ方向に位置Ｐまで回転したとき電源端子５ａと５ｂが接続され、ついで、これよりも大きい回転角度位置Ｔまで回転したときタンパ端子６ａと６ｂが接続され、ストップ位置Ｓでロックされる。また、アラーム端子７ａと７ｂ、および予備端子８ａと８ｂは、それぞれ位置Ｐから位置Ｓまでの間に接続されるように構成されている。このため、取付ベース２にセンサ本体３を装着するとき、まず、電源端子５ａと５ｂが接続され、少し遅れてタンパ端子６ａと６ｂが接続されることになる。
なお、図３中の１５はセンサ部の検知エリア４の方向を切換える検知エリア切換レバーで、検知エリア４の方向は、センサ本体３を取付ベース２に取り付ける前に設定される。
【００１９】
図４は、本実施形態の防犯センサのブロック回路図である。図４において、監視室などに設置されたコントロールパネル２１は、直流電源２２を有し、この直流電源２２は取付ベース２の電源端子５ｂと接続線２３によって接続されている。また、アラーム端子７ｂとコントロールパネル２１の間は、接続線２４によって接続されている。また、取付ベース２側の１対のタンパ端子６ｂは、短絡線２５で短絡されており、本体側およびベース側のタンパ端子６ａ，６ｂと短絡線２５とでタンパ検出素子２６を構成している。このタンパ検出素子２６は、取付ベース２にセンサ本体３が取り付けられてタンパ端子６ａ間がタンパ端子６ｂと接続されて短絡線２５で短絡されたとき動作してオン信号をタンパ検出回路３４に出力する。
【００２０】
センサ本体３は、ＰＩＲ素子、その複数の検知エリア４を切換設定する反射鏡からなる光学系、およびその切換機構を有するセンサ部３１と、センサ部３１から人体検知信号ｈが入力されたときアラーム信号ａ１を出力するアラーム出力回路３６と、取付ベース２からセンサ本体３を取り外して再び取付けるタンパ行為を検知したとき、トラブル信号ａ２を出力するトラブル検知回路３２と、アラーム信号ａ１およびトラブル信号ａ２が入力されたとき、警報音の送出、または警報灯を点灯する警報器３７とを備えている。
【００２１】
前記トラブル検知回路３２は、電源端子５ａに電源が供給されたタイミングを検出する電源検出回路３３と、タンパ検出素子２６が動作したタイミングを検出するタンパ検出回路３４と、電源検出回路３３の検出タイミングよりもタンパ検出回路３４の検出タイミングが遅れたときタンパ検出信号ｔを出力するタイミング比較回路３５と、タンパ検出信号ｔが入力されたときトラブル信号ａ２を出力するトラブル出力回路３９と、トラブル信号ａ２の出力時に、センサ部３１から人体検知信号ｈが入力されたときトラブル出力回路３９にリセット信号ｒを出力するリセット回路３８とを備えており、リセット信号ｒが入力されたトラブル出力回路３９はトラブル信号ａ２の送出を停止し、警報器３７の動作も停止する。
【００２２】
アラーム出力回路３６から出力されたアラーム信号ａ１、およびトラブル出力回路３９から出力されたトラブル信号ａ２は、アラーム端子７ａ，７ｂ、接続線２４を介してコントロールパネル２１に入力され、コントロールパネル２１は警報音、または警報灯の点灯などによってタンパ行為および人体検知を報知する。
【００２３】
次に、本実施形態に係る防犯センサのトラブル信号およびアラーム信号出力動作、およびそのリセット動作を、図４のブロック回路図および図５のフローチャートを用いて説明する。
作業員が防犯センサを取り付ける場合、取付ベース２にセンサ本体３が正常に取り付けられた状態でコントロールパネル２１の直流電源２２を投入する。これにより、センサ部３１、トラブル検知回路３２、アラーム出力回路３６および警報器３７の各回路は動作状態となる。電源検出回路３３は、センサ本体３の電源がオンになったタイミングを検出し、タンパ検出回路３４は、タンパ検出素子２６のタンパ端子６ａが短絡されたタイミングを検出する。タイミング比較回路３５は、電源検出回路３３から入力される電源オン信号のタイミングと、タンパ検出回路３４から入力されるタンパ検出素子オン信号のタイミングを比較する（Ｓ１）。この場合は同時であるので警戒動作に入る（Ｓ２）。
【００２４】
しかし、直流電源２２が投入されている状態において、タンパ行為者が取付ベース２からセンサ本体３を取り外し、タンパ行為を行ったのち再び取付ベース２に取り付けた場合は、Ｓ１において、電源オン信号よりもタンパ検出素子オン信号が遅れて入力されるので、タイミング比較回路３５はタンパ検出信号ｔをトラブル出力回路３９に出力し、トラブル出力回路３９はトラブル信号ａ２を警報器３７に出力し（Ｓ３）、警報器３７は警報音の発生、または警報灯を点灯する。これによってタンパ行為があったことが報知される。
また、前記のようなタンパ行為は、非警戒動作中になされるが、これを検知したトラブル信号ａ２は警報出力としてコントロールパネル２１に入力される。コントロールパネル２１は、センサの警報出力が連続出力状態であると非警戒状態から警戒状態にシステムが移行できないため、タンパ行為があったことを認識することができる。
【００２５】
前記トラブル信号送出状態から警戒動作への移行は、点検員が室内に入ってセンサ本体３を取り外し、タンパ行為による妨害原因を除去したのちセンサ本体３を取付ベース２に再装着し、直流電源２２を一度オフにしたのち再投入することで実行できる（Ｓ２）。また、直流電源２２を、一度オフにしたのち再投入しなくても、妨害原因を除去したのち、センサ部３１の正常な動作を確認する操作、たとえば、センサ本体３の近くで手を動かすなどの動作を行うことによって、センサ部３１から点検員を検知した人体検知信号ｈがリセット回路３８に入力され（Ｓ４）、リセット回路３８からリセット信号ｒがトラブル出力回路３９に入力されて、トラブル信号ａ２の送出が停止され（Ｓ５）、警戒動作に移行する（Ｓ６）。
【００２６】
図６は、本発明の他の実施形態のブロック回路図で、図４と同一または相当する構成部分にはそれぞれ同一符号を付している。
本実施形態は、タンパ検出素子２６を、センサ本体３に装着されたマイクロスイッチのようなタンパスイッチ２７と、取付ベース２に設けた突起からなるドグ２８とで構成したものである。このタンパ検出素子２６は、センサ本体３が取付ベース２に取り付けられたとき、電源端子５ａ，５ｂが接続されるタイミングよりも遅れてドグ２８がタンパスイッチ２７のアクチュエータを押し込んでこのスイッチ２７を動作させ、このタンパスイッチ２７のオン信号によってタンパ検出回路３４を作動させるように構成したものである。
この実施形態によれば、前記実施形態１と同様の効果が得られるとともに、タンパスイッチ２７をセンサ本体３における端子から離れたスペース的に余裕のある場所に取り付けることができるので、タンパ検出素子２６の取付け位置の調整が容易になる。
【００２７】
なお、前記各実施形態では、防犯センサ１を部屋内の天井に取り付けたが、壁面に取り付けてもよい。
また、前記各実施形態では、取付ベース２にセンサ本体３を回転動作によって取り付ける構成としたが、一方向にスライドさせて取り付ける構成としてもよい。この場合も、前記各実施形態と同様に、電源端子５ａ，５ｂの接続タイミングよりもタンパ検出素子２６の動作タイミングが遅れるように構成すれば、前記各実施形態と同様の作用効果が得られる。
【００２８】
また、警報器３７は割愛してもよい。この場合、トラブル信号ａ２を受けたコントロールパネル２１は、このトラブル信号ａ２が解除されないかぎり、システムが非警戒状態から警戒状態に移行できないため、タンパ行為があったことを認識することができる。
【００２９】
【発明の効果】
本発明によれば、センサ本体を取り付ける取付ベースに電源端子を設けるとともに、前記センサ本体に電源端子とタンパ検出素子を設け、前記センサ本体が取付ベースに装着されたとき、前記電源端子が接続されたのち前記タンパ検出素子が動作する位置に前記電源端子およびタンパ検出素子の位置を設定し、電源端子の接続タイミングよりもタンパ検出素子の動作タイミングが遅れたとき、タンパ行為があったと判定してトラブル信号を出力してタンパ行為を報知するように構成したものであるから、取付ベースとコントロールパネル間のトラブル信号伝送用の接続線が不要で、常にタンパ機能が働く防犯センサが得られる効果がある。
【図面の簡単な説明】
【図１】本発明の一実施形態に係る防犯センサの作動時の状態を示す斜視図である。
【図２】本実施形態に係る防犯センサの取付ベースの斜視図である。
【図３】本実施形態に係る防犯センサのセンサ本体の内面側から見た平面図である。
【図４】本実施形態の防犯センサのブロック回路図である。
【図５】本実施形態のフローチャートである。
【図６】本発明の他の実施形態の防犯センサのブロック回路図である。
【符号の説明】
１…防犯センサ、２…取付ベース、３…センサ本体、４…検知エリア、
５ａ，５ｂ…電源端子、６ａ，６ｂ…タンパ端子、７ａ，７ｂ…アラーム端子、９…ねじ体、１０…接触片、１１…係止部、１２…弾性接触片、１３ａ，１３ｂ…位置合せマーク、１４…ロックレバー、１５…検知エリア切換レバー、２１…コントロールパネル、２２…直流電源、２３，２４…接続線、２５…短絡線、
２６…タンパ検出素子、２７…タンパスイッチ、２８…ドグ、３１…センサ部、３２…トラブル検知回路、３３…電源検出回路、３４…タンパ検出回路、３５…タイミング比較回路、３６…アラーム出力回路、３７…警報器、３８…リセット回路、３９…トラブル出力回路、ａ１…アラーム信号、ａ２…トラブル信号、
ｈ…人体検知信号、ｒ…リセット信号、ｔ…タンパ検出信号。
【図１】
0003843287.tif 000002
【図２】
0003843287.tif 000003
【図３】
0003843287.tif 000004
【図４】
0003843287.tif 000005
【図５】
0003843287.tif 000006
【図６】
0003843287.tif 000007